(57)【特許請求の範囲】
【請求項１】
運転席を備える車体の後方に昇降リンクを介して苗載タンクを備える苗植付部を昇降可能に設け、該苗植付部と運転席との間には台枠に軸架したローラにより苗を載置して移動させることのできる苗載置台を設け、この苗載置台の外端側を水平姿勢から上方に持ち上げた傾斜姿勢に姿勢変更すべく上下傾動可能に構成して設け、該苗載置台の外端側と基端側との接続部で前記台枠と前記ローラとの間にはこの外端側を傾動させたときの傾斜角よりも小さい傾斜角となる接続案内部を設け、苗載置台の外端側下方には空箱を収容する空箱収容枠を設けると共に、前記苗載置台を前記苗載タンク側へ傾斜させながら接近させるリンクを設け、該リンクによる苗載置台の傾斜を苗載タンク側への最接近位置において停止させるストッパー機構を、前記苗載タンクの適所又は前記昇降リンク側に設けてあることを特徴とする田植機。
【発明の詳細な説明】
【０００１】
【発明の属する技術分野】
この発明は、予備苗を載置する載置台からなる苗供給装置を備えた田植機に関し、農業機械の技術分野に属する。
【０００２】
【従来の技術】
一般に田植機においては、機体上適所に予備苗を載置する予備苗用載置台が設置されてあり、そして、苗載タンク内に苗がなくなると、この載置台上の予備苗を順次補給するようにしている。
【０００３】
【発明が解決しようとする課題】
従来は、載置台上に載せた苗を中央側に寄せるのに、作業者が外端側から手で押し込むようにしていたが、苗の枚数が多くなると非常に重くなり、多大の労力を要するものであった。
【０００４】
本発明は、かかる課題の解決を図らんとするもので、苗を軽く移動させることができるようにして、労力の軽減化を図ることを目的とする。
【０００５】
【課題を解決するための手段】
この発明は、上記課題を解決すべく次のような技術的手段を講じた。
すなわち、本発明における課題解決のための具体的手段は、運転席を備える車体の後方に昇降リンクを介して苗載タンクを備える苗植付部を昇降可能に設け、該苗植付部と運転席との間には台枠に軸架したローラにより苗を載置して移動させることのできる苗載置台を設け、この苗載置台の外端側を水平姿勢から上方に持ち上げた傾斜姿勢に姿勢変更すべく上下傾動可能に構成して設け、該苗載置台の外端側と基端側との接続部で前記台枠と前記ローラとの間にはこの外端側を傾動させたときの傾斜角よりも小さい傾斜角となる接続案内部を設け、苗載置台の外端側下方には空箱を収容する空箱収容枠を設けると共に、前記苗載置台を前記苗載タンク側へ傾斜させながら接近させるリンクを設け、該リンクによる苗載置台の傾斜を苗載タンク側への最接近位置において停止させるストッパー機構を、前記苗載タンクの適所又は前記昇降リンク側に設けてあることを特徴とする田植機とした。
【０００６】
【発明の効果】
この発明によれば、苗載置台の外端側と基端側との接続部で前記台枠と前記ローラとの間にはこの外端側を傾動させたときの傾斜角よりも小さい傾斜角となる接続案内部を設けているので、苗載置台の外端側を持ち上げ傾斜させることによって、苗を軽くスム−スに中央側に移動させることができて、また移動降下する苗箱の移動方向側端部がローラ間に落下しないように前記接続案内部に沿って誘導案内でき、苗補給者の労力を軽減することができる。また、苗載置台の外端側下方には空箱を収容する空箱収容枠を設けているので、該空箱収容枠に空箱を苗載置台上から一箱づつ落下させて順次積み重ね状に収容することができる。更に、苗載置台を前記苗載タンク側へ傾斜させながら接近させるリンクを設け、該リンクによる苗載置台の傾斜を苗載タンク側への最接近位置において停止させるストッパー機構を、前記苗載タンクの適所又は前記昇降リンク側に設けているので、苗載タンクに対し苗載置台を最小限接近させることができ、傾いた苗載置台から苗載タンクへの苗の補給が極めて容易となる。
【０００７】
【発明の実施の形態】
この発明の実施例を図面に基づき説明する。
図１及び図２は、８条植田植機を示すものであり、車体１の前後には走行車輪としての左右一対の前輪２，２及び後輪３，３が架設されている。車体上前部に操作ボックス４及びステアリングハンドル５等を有する操縦装置６が設置され、車体後方部には昇降可能な苗植付部７が装備されている。操縦装置６の後側に運転席８が設置され、運転席の下側に田植機の各部に動力を伝達するエンジン９が搭載されている。
【０００８】
苗植付部７は、左右に往復動する苗載タンク１０、１株分の苗を切取って土中に植込む植込杆１１を有する２条植用植付装置１２ａ，１２ｂ，１２ｃ，１２ｄ、苗植付面を整地するフロ−ト１３等からなる。
機体上後方部で苗植付部７と運転席８との間には苗を載置して移動させることのできる予備苗載置台１４を左右横方向に架設してあると共に、少なくとも外端側が機体の横外側方に大きく突出するよう構成してある。実施例では機体の両外側方に大きく突出させた構成であり、そして、その突出する部分１４Ｌ，１４Ｒは、少なくともこの載置台１４の主要部分（基端中央側１４Ｃ）が苗植付部７の横幅内に収まるように枢着軸１６周りに折り畳み収納できる構成としている。
【０００９】
予備苗載置台１４は、この上に載置する苗箱が台枠１５に対し片持ち状に軸架したロ−ラ１７を介して横方向に軽く移動するように構成してある。
また、前記載置台１４は外端側１４Ｒ（又は１４Ｌ）が枢着軸１６を支点として所定の傾斜角度に変更できるよう傾動固定自在に構成している。
【００１０】
そして、該苗載置台の外端側と基端側との接続部にはこの外端側を傾動させたときの傾斜角Ａ1よりも小さい傾斜角Ａ2となる接続案内部１８を設けた構成である。実施例では台枠１５とロ−ラ１７との間に案内レ−ル１８を敷設し、移動降下する苗箱Ｓの移動方向側端部がロ−ラ間に落下しないようにこの案内レ−ル１８に沿って誘導案内する構成としている。
【００１１】
水平状態にある載置台１４の外端側１４Ｒ上に苗箱を畦側から供給載置し、そして、この外端側を持ち上げて所定の傾斜姿勢に傾動させれば、苗箱は傾斜面に沿って滑流降下し載置台の中央側に寄せられることになる。
また、畦側が高くて田植機よりも高所にある場合などには、載置台外端側を傾斜姿勢のままで保持し、或は、傾斜姿勢にて畦上にもたしかけた状態とし、そして、その上から苗箱を一箱づつ供給載置して載置台中央側に順次押し寄せることもできる。
【００１２】
予備苗載置台１４Ｒの外端側下方には予備苗の空箱を収容する空箱収容枠１９を設置することができる。この収容枠１９内には空箱を載置台上から一箱づつ落下させて順次積み重ね状に収容するようになっている。
別実施例１（図８、図９、図１０、図１１）について説明する。
【００１３】
図８に示す苗載置台１４は、支持脚２０ａ，２０ｂ及び横軸２１ａ，２１ｂを支点として上下に揺動可能なリンク２２ａ，２２ｂを介して昇降可能に構成してあり、そして、この苗載置台１４が上昇するほど苗載タンク１０側に接近し、かつ、該苗載タンク１０の上方位置にまで変位するようにして苗の補給が容易にできる構成としている。
【００１４】
なお、苗載置台１４の昇降操作手段は、ウオ−ム２３とウオ−ム・ホイ−ル２４との組合せによるウオ−ム・ギヤ機構を用い、ハンドル２５を回してリンク２２ａを上下に揺動操作する構成である。かかる載置台の昇降操作手段はこの実施例に限定されるものではないが、特に、これをワンタッチで昇降操作することができるものであれば便利であり、作業の能率化を図ることができる。
【００１５】
また、図１０に示すように、前側のリンク２２ａを後側のリンク２２ｂよりも長くしておけば、苗載置台１４を苗載タンク１０の上方位置まで上昇させたときには、この苗載置台１４は下方の苗載タンク１０側が低くなる方向に傾くことになる。従って、この傾いた苗載置台１４側から苗載タンク１０側への苗の補給が極めて容易となる。
【００１６】
図１１に示す実施例においては、昇降及び上下傾斜可能に構成してある苗載置台１４において、苗載置台の上下傾斜を苗載タンクに対する最接近位置において停止させるためのストッパ−機構２６を、苗植付部７の苗載タンク１０の上端適所又は苗植付部７の昇降リンク２７側に設置してある。従って、苗載タンク１０に対し苗載置台１４を最小限接近させることができるので、苗の補給が容易となる。
【００１７】
また、苗載置台１４の苗載タンク１０側下面に植付部上昇停止機構（実施例ではリミットスイッチ２８）を設け、苗載置台１４に対し苗載タンクの上端が最接近すると苗植付部の上昇を自動的に停止させる構成である。これによっても、苗載タンクと苗載置台との隙間を最小限にすることができるので、苗の補給性が向上する。
【００１８】
別実施例２（図１２）について説明する。
軽四トラック２９から圃場内の田植機に苗を搬送する装置３１を軽四トラックの荷台ゲ−ト３０に装着できるように構成する。かかる実施例（図１２）における苗搬送装置３１は、ロ−ラ３２付搬送レ−ル３３と、くの字型に形成された苗搬送台３４とからなり、荷台ゲ−ト３０にセットされる着脱自在なレ−ル３５ａ付ベ−ス３５に対して、前後方向摺動自在に装着した構成である。なお、この苗搬送装置３１は苗搬送台３４を荷台ゲ−ト３０に直接係止させて利用する構成であってもよい。
【００１９】
要するに、かかる構成によれば、軽四トラックの荷台上の苗箱は、苗搬送装置３１上をすべらせて田植機に直接的に補給されることになり、苗の補給作業を効率的に行なうことができる。苗補給位置が僅かの移動範囲で足りる場合には、苗搬送装置３１自体をスライドさせればよい。移動範囲が大きい場合には、苗搬送装置がトラックと一体的となっているので、トラックを移動させるだけでよいことになる。
【図面の簡単な説明】
【図１】田植機の側面図
【図２】田植機の平面図
【図３】同上要部の背面図
【図４】同上要部の背面図
【図５】同上要部の拡大背面図
【図６】同上要部の拡大背面図
【図７】同上要部の平面図
【図８】田植機の側面図
【図９】同上要部の側面図
【図10】田植機の側面図
【図11】田植機の側面図
【図12】軽四トラックと苗箱搬送装置の斜視図
【符号の説明】
１…車体、７…苗植付部、８…運転席、１０…苗載タンク、１４…予備苗載置台、１５…台枠、１６…枢着軸、１７…ロ−ラ、１８…接続案内部（案内レ−ル）、１９…空箱収容枠、２２ａ…前側のリンク、２２ｂ…後側のリンク、２６…ストッパー機構、２７…昇降リンク
【図１】
0003757742.tif 000002
【図２】
0003757742.tif 000003
【図３】
0003757742.tif 000004
【図４】
0003757742.tif 000005
【図５】
0003757742.tif 000006
【図６】
0003757742.tif 000007
【図７】
0003757742.tif 000008
【図８】
0003757742.tif 000009
【図９】
0003757742.tif 000010
【図１０】
0003757742.tif 000011
【図１１】
0003757742.tif 000012
【図１２】
0003757742.tif 000013